(57)【要約】【課題】  バックアップライブラリ装置の外に排出したバックアップメディアに関しては,保管場所の情報を取得する手段がなかった。そのため,バックアップライブラリ装置の外に排出したバックアップメディアを使用する際には,バックアップメディアに貼り付けたバーコードＩＤを１本毎に確認する必要があった。【解決手段】  バックアップ／リストア制御プログラムが管理する単一または複数ドライブを搭載したバックアップライブラリ装置におけるバックアップ／リストア制御プログラム２が管理する情報５と,バーコードリーダ付きキャビネット監視プログラム４が検出するバーコードリーダ付きキャビネット１０の情報を元に,管理情報５を更新する管理情報更新プログラム３により解決する。【選択図】  図１
2005209238.tif 000002
【特許請求の範囲】
【請求項１】
バックアップ／リストア制御プログラムが管理する単一または複数ドライブを搭載したバックアップライブラリ装置で使用されたバックアップメディアの管理情報を記憶し、前記バックアップライブラリ装置の外に排出して当該排出したバックアップメディアをキャビネットに保管した際の保管場所を示す情報を前記管理情報として括り付けることを特徴とするバックアップメディア管理方法。
【発明の詳細な説明】
【技術分野】
【０００１】
本発明は，バックアップメディアを管理するための技術に関するものである。
【背景技術】
【０００２】
従来は、特開平１−３１１４９１号公報に記載のように,単一システム内で取得した情報をもとに,メディアの管理をおこなっていた。また,バックアップ／リストア制御プログラムが作成するバックアップメディアの管理範囲は,単一または複数ドライブを搭載したライブラリ装置にバックアップメディアを格納している場合に限られる。
【０００３】
【特許文献１】特開平１−３１１４９１号公報
【発明の開示】
【発明が解決しようとする課題】
【０００４】
バックアップライブラリ装置の外に排出したバックアップメディアに関しては,保管場所の情報を取得する手段がなかった。そのため,バックアップライブラリ装置の外に排出したバックアップメディアを使用する際には,バックアップメディアに貼り付けたバーコードＩＤを１本毎に確認する必要があった。
【０００５】
本発明が解決しようとする目的は，バックアップライブラリ装置の外に排出したバックアップメディアを管理する手間を軽減することを最も主要な特徴とする。
【課題を解決するための手段】
【０００６】
上記目的を達成するために，バックアップ／リストア制御プログラムが管理する単一または複数ドライブを搭載したバックアップライブラリ装置で使用したバックアップメディアの管理情報に，バックアップライブラリ装置の外に排出して，キャビネットに保管した際の保管場所を示す情報を括り付けるものである。
【発明の効果】
【０００７】
本発明によれば，バックアップ／リストア制御プログラムが管理するバックアップメディアの管理情報を表示するシステムにおいて，バックアップライブラリ装置の外に排出したバックアップメディアの保管場所も表示させるため，バーコードＩＤ確認による誤判断を少なくすることができるという利点がある。
【発明を実施するための最良の形態】
【０００８】
以下,本発明を実施するための最良の形態を図面に基づいて詳細に説明する。
【０００９】
図１は,本発明における一実施例であるバックアップライブラリ装置の外に排出したバックアップメディアを管理するシステムの構成を示すものである。本実施例では,ネットワーク８で接続されたサーバ１とライブラリ装置６および,単一もしくは複数のキャビネット１０,キャビネット１３で実現されており,サーバ１にはバックアップ／リストア制御プログラム２と,バックアップ／リストアで使用するライブラリ装置のドライブに格納するバックアップメディアを管理する情報５,および,バックアップメディアをキャビネットに保管する際に管理情報５を更新するプログラム３，バーコードリーダ付きキャビネットを監視するプログラム４がある。ライブラリ装置６は単一または複数ドライブを搭載しており，バーコードリーダ付きキャビネット１０およびバーコードリーダ付きキャビネット１２には，単一または複数の保管場所が存在する。
【００１０】
図２は，図１で示したサーバ１内の構成の各要素をさらに詳細化したものである。ライブラリ装置６からバックアップメディアを交換せずにバックアップ／リストアを行なっている間は,図３の,バックアップ／リストア制御プログラムが管理情報を更新する処理の流れを示すフローチャートに則り,サーバ１のバックアップ／リストア制御プログラム２が管理情報５の更新を行ない,どのバックアップメディア（バックアップメディアを示すバーコードＩＤ）で,どのライブラリ装置（ライブラリ装置名およびドライブ番号）にどのようなバックアップを行なったか（バックアップ日時,バックアップ方式,バックアップ対象ファイル名等）の情報を登録している。（図６（ａ））
ライブラリ装置６のドライブ７からバックアップメディア８を抜き出すと,バックアップ／リストア制御プログラム２が，管理情報５のバックアップメディア８に関する情報から,どのライブラリ装置（ライブラリ装置６のドライブ７）であるかの情報を格納場所無しと更新する。（図６（ｂ））
ライブラリ装置６のドライブ７から抜き出したバックアップメディア８を,バーコードリーダ付きキャビネット１０の格納場所１１に保管すると,図５の,バーコードリーダ付きキャビネット監視プログラムの処理の流れを示すフローチャートに則り,サーバ１のバーコードリーダ付きキャビネット監視プログラム４が,バックアップメディア８を示すバーコード情報と保管場所（キャビネット１０の格納場所１１）情報を検出し,サーバ１の管理情報更新プログラム３に通知する。サーバ１の管理情報更新プログラム３では,図４の,管理情報更新プログラムが管理情報を更新する処理の流れを示すフローチャートに則り,管理情報５とバーコードリーダ付きキャビネット監視プログラム４が検出したバックアップメディア８示すバーコード情報を元に管理情報５のバックアップメディア８に関する項目を,キャビネット１０の格納場所１１に保管していると更新する。（図６（ｃ））
バックアップメディア８を,バーコードリーダ付きキャビネット１０の格納場所１１から格納場所１２に移動する場合も,キャビネット１０の格納場所１１から抜き出した際に,サーバ１のバーコードリーダ付きキャビネット監視プログラム４が,キャビネット１０の格納場所１１からバックアップメディアが無くなったことを検出し,サーバ１の管理情報更新プログラム３によって,管理情報５の保管場所がキャビネット１０の格納場所１１となっている項目を保管場所無しと更新する。キャビネット１０の格納場所１１に保管した際に,サーバ１のバーコードリーダ付きキャビネット監視プログラム４が,バックアップメディア８を示すバーコード情報と保管場所（キャビネット１０の格納場所１２）情報を検出する。サーバ１の管理情報更新プログラム３では,管理情報５とバーコードリーダ付きキャビネット監視プログラム４が検出したバックアップメディア８示すバーコード情報を元に管理情報５のバックアップメディア８に関する項目を,キャビネット１０の格納場所１２に保管していると更新する。
【００１１】
バックアップメディア８を,バーコードリーダ付きキャビネット１０の格納場所１２から,別のバーコードリーダ付きキャビネット１３の格納場所１４に移動する場合も,キャビネット１０の格納場所１２から抜き出した際に,サーバ１のバーコードリーダ付きキャビネット監視プログラム４が,キャビネット１０の格納場所１２からバックアップメディアが無くなったことを検出し,サーバ１の管理情報更新プログラム３によって,管理情報５の保管場所がキャビネット１０の格納場所１２となっている項目を保管場所無しと更新する。キャビネット１３の格納場所１４に保管した際に,サーバ１のバーコードリーダ付きキャビネット監視プログラム４が,バックアップメディア８を示すバーコード情報と保管場所（キャビネット１３の格納場所１４）情報を検出する。サーバ１の管理情報更新プログラム３では,管理情報５とバーコードリーダ付きキャビネット監視プログラム４が検出したバックアップメディア８示すバーコード情報を元に管理情報５のバックアップメディア８に関する項目を,キャビネット１３の格納場所１４に保管していると更新する。
【図面の簡単な説明】
【００１２】
【図１】本発明の実施方法の全体構成を示した説明図である。
【図２】図１で示したサーバ１内の構成の各要素を詳細に示した説明図である。
【図３】バックアップ／リストア制御プログラムが管理情報を更新する処理の流れを示すフローチャートである。
【図４】管理情報更新プログラムが管理情報を更新する処理の流れを示すフローチャートである。
【図５】バーコードリーダ付きキャビネット監視プログラムの処理の流れを示すフローチャートである。
【図６】管理情報のテーブル内容である。
【符号の説明】
【００１３】
１  計算機（サーバ）
２  バックアップ／リストア制御プログラム
３  管理情報更新プログラム
４  バーコードリーダ付きキャビネット監視プログラム
５  管理情報
６  ライブラリ装置
７  ライブラリ装置内ドライブ
８  バックアップメディア
９  ネットワーク
１０  バーコードリーダ付きキャビネット
１１  バーコードリーダ付きキャビネット内保管場所
１２  バーコードリーダ付きキャビネット内保管場所
１３  バーコードリーダ付きキャビネット
１４  バーコードリーダ付きキャビネット内保管場所
【図１】
2005209238.tif 000003
【図２】
2005209238.tif 000004
【図３】
2005209238.tif 000005
【図４】
2005209238.tif 000006
【図５】
2005209238.tif 000007
【図６】
2005209238.tif 000008